(57)【要約】      （修正有）【課題】車両に表示されるバーコードに対する関心を高め、バーコードの読込みを促進するとともに、走行中であってもバーコードの読み込みを容易にする情報提供移動車両を提供する。【解決手段】情報提供移動車両１は、宣伝広告に供されるウェブページのＵＲＬを示すバーコードシンボルのみを車体の外方に向けて表示するバーコードシンボル表示部１１〜１９、１１０〜１１２を備える。【選択図】図１
0003235422.tif 000002
【実用新案登録請求の範囲】
【請求項１】
宣伝広告に供されるウェブページのＵＲＬを示すバーコードシンボルのみを車体の外方に向けて表示するバーコードシンボル表示部を備えることを特徴とする情報提供移動車両。
【請求項２】
前記バーコードシンボル表示部は、前記車両の外装に接着される請求項１に記載の情報提供移動車両。
【請求項３】
前記バーコードシンボル表示部は、前記バーコードシンボルの映像が投影又は表示されるデジタルサイネージである
請求項１に記載の情報提供移動車両。
【請求項４】
前記バーコードシンボル表示部は、前記車両の外装にペインティングされて構成される
請求項１に記載の情報提供移動車両。
【請求項５】
前記バーコードシンボル表示部は、前記車両の外装の複数の面備えていることを特徴とする、請求項１乃至４のいずれか１項に記載の情報提供移動車両。
【請求項６】
前記バーコードシンボル表示部は、広告・宣伝が終了した時点で除去し、新しい広告に変更することができる請求項１乃至５のいずれか１項に記載の情報提供移動車両。
【請求項７】
経年劣化した車両又は中古車を外装塗装せずに使用する
請求項１乃至６のいずれか１項に記載の情報提供移動車両。
【考案の詳細な説明】
【技術分野】
【０００１】
本発明は、バーコードシンボル表示部を備えた情報提供移動車両に関する。
【背景技術】
【０００２】
車両の外装に表示した一次元コード、又は二次元コード（以下、「バーコード」。）を携帯情報端末等から読み込ませ、バーコードにリンクされる情報画面にアクセスさせることで販売促進や情報の周知が行われている。例えば特許文献１によると、中古車販売において、買主が容易に売主の情報にアクセスできるようにするために、販売に係る車両の外装に、売主の情報を掲載した画面にリンクさせるＱＲコード（登録商標）を貼付することが公開されている。また、特許文献２によると、ＱＲコード（登録商標）を読み込ませて情報を掲載した画面へのアクセスを促進するために、走行する場所を考慮した広告が表示されるシステムが公開されている。
【０００３】
上記特許文献１に開示の技術は、ユーザが中古車に興味を持たなければアクセスされないし、また、上記特許文献２に開示の技術は、車両が走行中の場合はＱＲコード（登録商標）を読み込むのは難しく、特に宣伝文や広告文の隅に小さく表示されている場合、そもそもＱＲコード（登録商標）に気づいてもらえないという課題があった。
【０００４】
一方、例えば非特許文献１によると、車両の背面に大きくＱＲコード（登録商標）が表示されているが、背面にしか表示されていなければ、その後ろを走行する車両でないと読み込みが困難であるという問題があった。
【先行技術文献】
【特許文献】
【０００５】
【特許文献１】特開２００９−１７６２６１号公報
【特許文献２】特開２０２１−１１１２９２号公報
【非特許文献】
【０００６】
【非特許文献１】トラックデザイン通信「吉秀トラフィック 車両後方にＱＲコード、社員からの提案_ ２０１７年９月１８日」（https：//design-truck.com/2017/09/post-54.php）
【考案の概要】
【考案が解決しようとする課題】
【０００７】
本考案は、車両に表示されるバーコードに対する関心を高め、バーコードの読込みを促進するとともに、走行中であってもバーコードの読み込みを容易にすることを目的とする。
【課題を解決するための手段】
【０００８】
（１）本考案に係る情報提供移動車両は、宣伝広告に供されるウェブページのＵＲＬを示すバーコードシンボルのみを車体の外方に向けて表示するバーコードシンボル表示部を備えることを特徴とする。
（２）バーコードシンボル表示部は、前記車両の外装に接着されていてもよい。
（３）バーコードシンボル表示部は、前記バーコードシンボルの映像が投影又は表示されるデジタルサイネージであってもよい。
（４）バーコードシンボル表示部は、前記車両の外装にペインティングされて構成されていてもよい。
（５）バーコードシンボル表示部は、前記車両の外装の複数の面に備えていてもよい。
（６）前記バーコードシンボル表示部は、広告・宣伝が終了した時点で除去し、新しい広告に変更してもよい。
（７）経年劣化した車両又は中古車を外装塗装せずに使用してもよい。
【考案の効果】
【０００９】
本考案によれば、バーコードシンボル表示部はバーコードシンボルのみを表示するため、それが何を意味するバーコードシンボルなのかという点において見る者の関心を引き、バーコードの読み込みを促進することができる。また、バーコードが車両の外装の複数の面に表示されることにより、車両が走行中であっても容易に読み込むことができる。バーコードシンボル表示部の色彩を加えること、大きさの変更を加えることにより、独自のデザインを制作し、オンリーワンの車両としてデザイン性を表現し走行することができる。さらに、中古車両の塗装の劣化、剥がれなどがあっても、再塗装せずに利用することができる。
広告には、特定の場所に固定する広告、雑誌等の印刷物に掲載する広告、印刷物を直接消費者に配布、ラジオ、テレビなどによる広告などがあるが、いずれの広告も、広告主が意図とする媒体までにたどり着くのは困難である。また、大量のパンフレットなど多くの媒体が関与するため、多額の広告宣伝費用が必要とされる。しかし、バーコードシンボル表示部を備える情報提供移動車両を利用することにより、公道であれば全国一律ありとあらゆる場所に移動が可能であり、移動中、駐車中も常に広告宣伝の媒体として機能させることができる。
【図面の簡単な説明】
【００１０】
【図１】フルラッピングによるバーコードシンボル表示部を備えた情報提供車両の四面図であり、（Ａ）は平面図、（Ｂ）は左側面図、（Ｃ）は正面図、（Ｄ）は背面図である。
【図２】ステッカー、シール、又は塗装によるバーコードシンボル表示部を備えた情報提供車両の四面図であり、（Ａ）は平面図、（Ｂ）は左側面図、（Ｃ）は正面図、（Ｄ）は背面図である。
【図３】デジタルサイネージを設置することによるバーコードシンボル表示部を備えた情報提供車両の四面図であり、（Ａ）は平面図、（Ｂ）は左側面図、（Ｃ）は正面図、（Ｄ）は背面図である。
【考案を実施するための形態】
【００１１】
次に、本発明の実施形態について、図を参照しつつ説明する。本発明の技術的範囲は、これらの実施形態によって限定されるものではなく、発明の要旨を変更することなく様々な形態で実施することができる。
【００１２】
第一の実施形態として図１に示す情報提供車両１は、車両の外装にバーコードシンボル表示部１１〜１１２を備えている。ここで、バーコードシンボルとは、一次元コード及び二次元コードの総称である。バーコードシンボル表示部１１〜１１２は、バーコードシンボルを車体の外方に向けて表示する部位であり、図示を省略するが、少なくともバーコード表示面（装飾層）と接着面（粘着層）の２層を備えたラッピングフィルムで形成され、宣伝広告に供されるウェブページのＵＲＬを示すバーコードのみがバーコード表示面に模様のようにプリントされている。図示の例でプリントされているバーコードはＱＲコード（登録商標）である。また、ラッピングフィルムの接着面は車両の外装に貼付されている。
【００１３】
本実施形態のラッピングフィルムとしては、カーラッピング用として市販されている貼付及び剥離が可能なフィルムを用いることができる。これにより、別のＱＲコード（登録商標）がプリントされたラッピングフィルムに貼り替えたい場合に、容易に貼り替えを行うことができる。ラッピングフィルムにプリントされるＱＲコード（登録商標）の大きさ、数、配置、色彩等のデザインは任意に定めてよいが、好ましくは沢山のＱＲコード（登録商標）がラッピングフィルムの全面にプリントされているとよい。より衆目を集めやすくなり、またＱＲコード（登録商標）の読み込みも容易になるため、情報画面にアクセスされやすくなるからである。ＱＲコード（登録商標）がプリントされたラッピングフィルムは、車両の外装の各パーツの形状に合わせ、裁断され貼付される。裁断は、カッター、ナイフ、ハサミなどを使用してもよいが、市販のカーラッピング用のナイフレステープを用いるのが好ましい。裁断する際、ＱＲコード（登録商標）が見切れる場合があるが、車両の外装の全体にＱＲコード（登録商標）が表示されているので問題なく読み込むことができる。なお、予めバーコードシンボル表示部１１〜１１２をラッピングフィルムに形成してから裁断し、貼付することもできるし、又はラッピングフィルムを車両にかぶせ、車のパーツの形状に沿って貼付しながら裁断することもできる。接着面は、一般的には粘着剤が塗布されているが、自己吸着型のラッピングフィルムを用いるときは吸着面が圧着することで貼付でき、接着剤を塗布するタイプのラッピングフィルムを用いるときは、接着剤がラッピングフィルムの接着面、又は車両の外装に密着されることにより貼付できる。
【００１４】
バーコードシンボル表示部１１〜１１２には、バーコードシンボルのみが表示され、他の情報、例えば文字情報等は表示されないため、表示されたバーコードシンボルが何を意味するのかという点において見る者の関心を引き、バーコードの読み込みを誘引することができる。また、本実施形態によると、運転操作に支障をきたさないように、ウィンドウを除く車体の外装のほぼ全面にバーコードシンボルがちりばめられるように表示されているので、衆目を集めやすく、かつ読込みもしやすいため情報画面へのアクセスが促進されるという効果が得られる。また、特異なデザインゆえにインスタ映えなどを目的として撮影され、引いてはウェブページへもアクセスされるという効果も得られる。さらに、中古車両の塗装の劣化、剥がれなどがあっても、再塗装せずに利用することができる。以降の第二の実施形態から第五の実施形態について、同様の効果については記載を省略する。
【００１５】
ＱＲコード（登録商標）を介してリンクされるウェブページは、広告主の宣伝に係る商品・サービスの情報など、宣伝や周知を図ることを目的とした様々な内容が含まれる。ＱＲコード（登録商標）を追加することにより、多種類の広告が可能である。第二の実施形態から第五の実施形態についても同様であるため、以降の記載を省略する。
【００１６】
本実施形態ではバーコードシンボルとして二次元コードであるＱＲコード（登録商標）を用いたが、例えばフレームＱＲ（登録商標）、ＤａｔａＭａｔｒｉｘ、ＭａｘｉＣｏｄｅ、ＰＤＦ４１７、Ａｚｔｅｃ等、その他の種類の二次元コードを用いてもよい。一次元コードを表示する場合は、例えばＣＯＤＥ３９、ＣＯＤＥ１２８等を用いることができるが、これらに限定はされない。また、一次元コードと二次元コードが混在してもよいし、異なるウェブページに係るバーコードが混在してもよい。第二の実施形態から第五の実施形態についても同様であるため、以降の記載を省略する。
【００１７】
第二の実施形態として図２に示す情報提供車両２は、車両の外装にバーコードシンボル表示部２１〜２１６が備えられている。バーコードシンボル表示部２１〜２１６は、ステッカー、又はシールで形成され、ＱＲコード（登録商標）のみがバーコード表示面（装飾層）にプリントされている。また、ステッカー、又はシールの接着面（粘着層）は車両の外装に貼付されている。
【００１８】
本実施形態のシール又はステッカーとしては、車両に貼付が可能な市販のものを用いることができる。シール、又はステッカーの形状、大きさ、色彩、又は貼付する位置や、１枚のシール、又はステッカーにプリントされるＱＲコード（登録商標）の大きさ、数、配置、色彩等のデザインは任意に定めてよい。ステッカー又はシールは、第一の実施形態と同様に貼付及び剥離が可能なものを用いることができる。また、粘着面も同様に、自己吸着型、又は接着剤を塗布するタイプのものを用いることができるし、その他にも、例えばマグネットや吸盤タイプのものを用いることができる。本実施形態によると、ラッピングが難しいウィンドウにもＱＲコード（登録商標）を表示することができるので、ラッピングと併用することにより車両の外装全面にＱＲコード（登録商標）を表示することができるという効果が得られる。
【００１９】
第三の実施形態として図２に示す情報提供車両２は、車両の外装にバーコードシンボル表示部２１乃至２８、及び２１２乃至２１５が備えられている。バーコードシンボル表示部２１乃至２８、及び２１２乃至２１５は、ＱＲコード（登録商標）のみが塗料やペンでペインティングされることにより構成されている。塗料やペンは、市販されているものを用いることができ、例えば水性塗料、ウレタン塗料、油性のフェルトペンなどを用いることができる。ＱＲコード（登録商標）が描写される大きさ、数、配置、色彩等のデザインは任意で定めてよい。本実施形態によると、手書きができるので、ＱＲコード（登録商標）を表示したい位置にピンポイントで表示することができるという効果が得られる。
【００２０】
第四の実施形態として図３に示す情報提供車両３は、車両の外装にバーコードシンボル表示部３１〜３９が備えられている。バーコードシンボル表示部３１〜３９は、デジタルサイネージで構成されている。例えばバーコードシンボル表示部３８は、ウィンドウにＱＲコード（登録商標）のみがプロジェクタを介して投影されている。本実施形態におけるデジタルサイネージは、例えば株式会社Lauraの車窓型動画メディアサービス「CarWindow(β版)」を実施することができる。この場合、静止画のみならず動画も配信することができるので、ＱＲコード（登録商標）の大きさ、数、配置、色彩、背景等を任意に変化させることができる。本実施形態によると、デジタルサイネージで動画配信をすることにより暗がりでも視認されやすくなり、またＱＲコード（登録商標）の表示も目立たせることができるので、衆目を集めやすくなり、情報画面にアクセスされやすくなるという効果が得られる。また、複数の異なるＱＲコード（登録商標）を一定時間ごとに切り替えて表示することもできる。なお、本実施形態においては後部座席のサイドウィンドウにＱＲコード（登録商標）を投影させたが、バーコードシンボル表示部３６、３７、３９が示すとおり、その他のウィンドウに投影させても構わない。
【００２１】
第五の実施形態として、デジタルサイネージで構成されているバーコードシンボル表示部３１〜３９は、図示は省略するが、出力表示装置、例えば液晶ディスプレイ等で形成され、これらの表示画面にはＱＲコード（登録商標）のみが出力され表示されている。ＱＲコード（登録商標）の出力は、例えばＱＲコード（登録商標）のデータを格納したＵＳＢメモリやｍｉｃｒｏＳＤカード等の外部機器を表示装置に接続することにより出力させてもよいし、インターネットを介してサーバやクラウドストレージからＱＲコード（登録商標）のデータを取得することにより出力させてもよい。また、図示は省略するが、ディスプレイの背面に吸盤、マグネット、又はシール等の吸着手段が備えられ、車両３の外装に対して着脱可能にすることができる。更に、ボディ又は窓の隙間を利用して、ディスプレイが挟持されるように構成されていてもよい。本実施形態におけるデジタルサイネージによると、動画について第四の実施形態と同様の効果が得られ、さらにバーコードシンボル表示部３１〜３９が示すとおり、ディスプレイを車両のフロント、サイド、ルーフ、ウィンドウ等任意の場所に多数設置することができるので、より衆目を集めやすくなり、情報画面にアクセスされやすくなるという効果が得られる。
【００２２】
上述した本発明の各実施形態は単独で実施してもよいし、複数の実施形態の組み合わせとして実施してもよい。
また、上記各実施形態では、情報提供車両１〜３の外装の全面にバーコードシンボル表示部を備えている例を挙げたが、バーコードシンボル表示部は、例えばボンネットとドアなど、車両の外装の全面に備えなくてもよい。
バーコードシンボル表示部は、広告・宣伝が終了した時点で除去し、新しい広告に変更することができる。
【符号の説明】
【００２３】
１  車両
１１〜１１２  バーコードシンボル表示部
２  車両
２１〜２１６  バーコードシンボル表示部
３  車両
３１〜３９  バーコードシンボル表示部
【図１】
0003235422.tif 000003
【図２】
0003235422.tif 000004
【図３】
0003235422.tif 000005